(57)【要約】  【課題】  撮影がされた様々な映像素材をアーカイブ管理装置に登録する際、装置内の規定のフォルダや仮想グループへ自動で登録できるアーカイブ管理装置を提供する。  【解決手段】  映像素材と当該映像のメタデータの登録を受け付ける映像素材登録受付部１０１と、撮影ユーザまたは撮影装置の識別情報と作業グループとを関連付けた業務情報を取得する業務情報取得部１０２と、映像素材のメタデータと業務情報に基づき、前記映像素材と作業グループとのマッチングを行うグループマッチング部１０３と、を備えるアーカイブ管理装置を提供する。  【選択図】  図１
2005354547.tif 000002
【特許請求の範囲】
【請求項１】
映像素材と当該映像素材のメタデータの登録を受け付ける映像素材登録受付部と、
撮影ユーザまたは撮影装置の識別情報と作業グループとを関連付けた業務情報を取得する業務情報取得部と、
前記映像素材のメタデータと前記業務情報に基づき、前記映像素材と作業グループとのマッチングを行うグループマッチング部と、
を備えることを特徴とするアーカイブ管理装置。
【請求項２】
前記映像素材のメタデータは、映像素材を一意に特定する映像素材ＩＤ、撮影者、撮影日時、撮影装置の装置情報を示すデバイス情報、映像素材が属する番組のシナリオ情報、撮影メディアを示すメディア情報、または作業グループ情報のいずれかを含むことを特徴とする請求項１に記載のアーカイブ管理装置。
【請求項３】
前記業務情報は、撮影装置とその撮影装置が属する組織名を対応付けて管理する資産管理表、ユーザとそのユーザが属する組織名を対応付けて管理するユーザ管理表、スタジオとそのスタジオを組織が利用するスケジュールを対応付けて管理するスタジオ利用スケジュール管理表、または、スタジオとそのスタジオに属する機器を対応付けて管理するスタジオ資産管理表のいずれかを含むことを特徴とする請求項１または請求項２に記載のアーカイブ管理装置。
【請求項４】
前記マッチングした作業グループと前記映像素材を関連付けて登録を指示する映像素材登録部と、前記映像素材登録部の指示に基づき前記マッチングした作業グループと前記映像素材を関連付けて格納するグルーピング情報格納部をさらに備えることを特徴とする請求項１乃至３に記載のアーカイブ管理装置。
【請求項５】
前記グルーピング情報格納部へのアクセスを制御するグループアクセス制御部と、ユーザ管理表に基づき認証を行う認証部とをさらに備えることを特徴とする請求項１乃至５に記載のアーカイブ管理装置。
【請求項６】
資産管理表を取得する資産管理表取得部と、
前記映像素材メタデータからデバイス情報を取得するデバイス情報取得部と、
前記資産管理表から前記デバイス情報に一致する項目を検索するデバイス検索部と、
前記デバイス検索部で検索して一致した項目から組織名を取得する組織取得部と、
前記組織取得部で取得した組織名から前記作業グループを特定する作業グループ特定部とをさらに備えることを特徴とする請求項１乃至５に記載のアーカイブ管理装置。
【請求項７】
スタジオ資産管理表及びスタジオ利用スケジュール管理表を取得するスタジオ資産／利用スケジュール管理表取得部と、
前記映像素材メタデータからデバイス情報を取得するデバイス情報取得部と、
前記映像素材メタデータから撮影日時情報を取得する撮影日時情報取得部と、
前記スタジオ資産管理表から前記デバイス情報に一致する項目を検索するデバイス検索部と、
前記スタジオ利用スケジュール管理表から前記撮影日時情報に一致する項目を検索するスケジュール検索部と、
前記デバイス検索部と前記スケジュール検索部の両方で一致した項目から組織名を取得する組織取得部と、
前記組織取得部で取得した組織名から前記作業グループを特定する作業グループ特定部とを備えることを特徴とする請求項１乃至６に記載のアーカイブ管理装置。
【請求項８】
映像素材と当該映像素材のメタデータの登録を受け付ける映像素材登録受付部と、
撮影ユーザまたは撮影装置の識別情報と作業グループとを関連付けた業務情報を取得する業務情報取得部と、
前記映像素材のメタデータと前記業務情報に基づき、前記映像素材と作業グループとのマッチングを行うグループマッチング部と、
を備えるアーカイブ管理装置と、
前記映像素材の撮影と当該映像素材のメタデータを生成して登録する撮影装置と、
前記業務情報を管理する業務情報管理装置とを備えることを特徴とするアーカイブ管理システム。
【請求項９】
前記アーカイブ管理システムは、番組構成を編集する番組構成編集装置あるいは映像素材を編集する映像素材編集装置を備えることを特徴とする請求項８に記載のアーカイブ管理システム。
【発明の詳細な説明】
【技術分野】
【０００１】
本発明は、テレビ放送局で使用されるアーカイブ管理装置及びアーカイブ管理システムに関する。
【背景技術】
【０００２】
２０００年のＢＳデジタル放送、２００３年の地上波デジタル放送とテレビ放送のデジタル化が推進され、放送形態の多様化が進んでいる。また、テレビ放送のデジタル化、放送形態の多様化に伴い、放送局の設備も従来のアナログ主体の番組制作からデジタル主体の番組制作に推移しつつある。従来の放送局の設備は、放送局内でテープメディアにより、撮影した映像素材をリニア編集装置で編集し、テープ用のカートマシンを用いて番組送出を行うのが主流であった。この運用形態がデジタル主体になると、撮影した映像素材をＨＤＤ（Hard Disk Drive）のようなランダムアクセスメディアを搭載したアーカイブ管理装置に蓄積し、ノンリニア編集装置からアーカイブ管理装置にオンラインでアクセスして編集し、完成した番組映像素材を送出装置へ転送して送出するといった運用形態をとることが想定される。このため、デジタル主体の新しい運用形態に対応するためにはデジタルデータを統合的に管理できるアーカイブ管理装置の必要性が高まると予想される。これに関連する技術としては、例えば、非特許文献１に記載されるような複数の映像素材、番組映像素材を蓄積し、この映像素材の検索、視聴機能を提供し、映像素材の二次利用を可能とするアーカイブ管理装置が提案されている。
【非特許文献１】人工知能学会誌、１８巻３号（２００３年５月）、「デジタルアーカイブ」ＮＨＫアーカイブス−制作から保存まで−
【０００３】
以下、図面を用いて従来のアーカイブ管理装置を使用する形態について説明する。図１７に示すように、放送局では番組制作を、撮影をする撮影班と、撮影された映像素材を編集する編集班とに大きく分け、アーカイブ管理装置１７０１を中心として番組を制作している。そして、報道班１７０２、スポーツ班１７０３、バラエティ班１７０４、ドラマ班１７０５等の撮影班は、撮影した映像素材をアーカイブ管理装置１７０１に登録する。一方、映像素材を編集する編集班１７０８〜１７１０は、ノンリニア編集装置等を用いて、オンラインでアーカイブ管理装置１７０１にアクセスし、登録されている映像素材を編集して番組を制作している。このように、アーカイブ管理装置を用いれば、番組制作を楽に行うことができる。
【０００４】
しかしながらアーカイブ管理装置は、放送局内で共有しているので、アーカイブ管理装置内には複数の映像素材が混在するという問題がある。そのため、映像素材を編集する各編集班は、複数混在する映像素材群の中から自分の必要な映像素材を検索、選択して番組制作の作業を行っている。その選択作業を軽減するために、通常、各担当者が編集対象とする映像素材を規定のフォルダやＧＵＩ上で作業する仮想グループに登録し、その該当フォルダ、仮想グループ上で編集作業を行っている。規定のフォルダや仮想グループへ映像素材を登録する際は手動で行っており、また、映像素材をグループ毎に振り分けるには、映像素材名や所属グループ等のメタデータをユーザが入力しなければならないので手間がかかる。
【０００５】
こうした手間を軽減させるために、特許文献１では、撮影前に番組の構成を決め、撮影予定の映像素材に対してシーン情報を割り当てておき、撮影をした映像素材に対してはメタデータを生成するようにしている。メタデータには、予め決めたシーン情報を入力し、メタデータと共に映像素材をアーカイブ管理装置に登録するようにしている。これにより、予め番組構成で決定したシーン情報と、映像素材に対して付与したシーン情報とのマッチングを行い、登録された映像素材のシーン情報から所属する番組を特定でき、該当番組の規定のフォルダや仮想作業グループへの登録を自動で行うことができる。
【特許文献１】特開２００１-２９２４１４号公報
【発明の開示】
【発明が解決しようとする課題】
【０００６】
しかしながら、特許文献１では、撮影前に番組構成を決めることができる、例えばドラマ番組には適用できるが、撮影前に番組構成を決めることができないニュース番組には適用できないという問題がある。
【０００７】
本発明は、こうした問題点に着目し、撮影がされた様々な映像素材をアーカイブ管理装置に登録する際、装置内の規定のフォルダや仮想グループへ自動で登録できるアーカイブ管理装置及びアーカイブ管理システムを提供し、これにより、映像素材登録作業及び番組制作作業の負荷を軽減することを目的とする。
【課題を解決するための手段】
【０００８】
本発明の請求項１に記載の発明は、映像素材と当該映像素材のメタデータの登録を受け付ける映像素材登録受付部と、撮影ユーザまたは撮影装置の識別情報と作業グループとを関連付けた業務情報を取得する業務情報取得部と、前記映像素材のメタデータと前記業務情報に基づき、前記映像素材と作業グループとのマッチングを行うグループマッチング部とを備えることを特徴とするアーカイブ管理装置である。
【０００９】
本発明の請求項２に記載の発明は、請求項１に記載のアーカイブ管理装置について、前記映像素材のメタデータは、映像素材を一意に特定する映像素材ＩＤ、撮影者、撮影日時、撮影装置の装置情報を示すデバイス情報、映像素材が属する番組のシナリオ情報、撮影メディアを示すメディア情報、または作業グループ情報のいずれかを含むことを特徴とするものである。
【００１０】
本発明の請求項３に記載の発明は、請求項１または請求項２に記載のアーカイブ管理装置について、前記業務情報は、撮影装置とその撮影装置が属する組織名を対応付けて管理する資産管理表、ユーザとそのユーザが属する組織名を対応付けて管理するユーザ管理表、スタジオとそのスタジオを組織が利用するスケジュールを対応付けて管理するスタジオ利用スケジュール管理表、または、スタジオとそのスタジオに属する機器を対応付けて管理するスタジオ資産管理表のいずれかを含むことを特徴とするものである。
【００１１】
本発明の請求項４に記載の発明は、請求項１乃至３に記載のアーカイブ管理装置について、前記マッチングした作業グループと前記映像素材を関連付けて登録を指示する映像素材登録部と、前記映像素材登録部の指示に基づき前記マッチングした作業グループと前記映像素材を関連付けて格納するグルーピング情報格納部をさらに備えることを特徴とするものである。
【００１２】
本発明の請求項５に記載の発明は、請求項１乃至５に記載のアーカイブ管理装置について、前記グルーピング情報格納部へのアクセスを制御するグループアクセス制御部と、ユーザ管理表に基づき認証を行う認証部とをさらに備えることを特徴とするものである。
【００１３】
本発明の請求項６に記載の発明は、請求項１乃至５に記載のアーカイブ管理装置について、資産管理表を取得する資産管理表取得部と、前記映像素材メタデータからデバイス情報を取得するデバイス情報取得部と、前記資産管理表から前記デバイス情報に一致する項目を検索するデバイス検索部と、前記デバイス検索部で検索して一致した項目から組織名を取得する組織取得部と、前記組織取得部で取得した組織名から前記作業グループを特定する作業グループ特定部とをさらに備えることを特徴とするものである。
【００１４】
本発明の請求項７に記載の発明は、請求項１乃至６に記載のアーカイブ管理装置について、スタジオ資産管理表及びスタジオ利用スケジュール管理表を取得するスタジオ資産／利用スケジュール管理表取得部と、前記素材メタデータからデバイス情報を取得するデバイス情報取得部と、前記素材メタデータから撮影日時情報を取得する撮影日時情報取得部と、前記スタジオ資産管理表から前記デバイス情報に一致する項目を検索するデバイス検索部と、前記スタジオ利用スケジュール管理表から前記撮影日時情報に一致する項目を検索するスケジュール検索部と、前記デバイス検索部と前記スケジュール検索部の両方で一致した項目から組織名を取得する組織取得部と、前記組織取得部で取得した組織名から前記作業グループを特定する作業グループ特定部とを備えることを特徴とするものである。
【００１５】
本発明の請求項８に記載の発明は、映像素材と当該映像素材のメタデータの登録を受け付ける映像素材登録受付部と、撮影ユーザまたは撮影装置の識別情報と作業グループとを関連付けた業務情報を取得する業務情報取得部と、前記映像素材のメタデータと前記業務情報に基づき、前記映像素材と作業グループとのマッチングを行うグループマッチング部と備えるアーカイブ管理装置と、前記映像素材の撮影と当該映像素材のメタデータを生成して登録する撮影装置と、前記業務情報を管理する業務情報管理装置とを備えることを特徴とするアーカイブ管理システムである。
【００１６】
本発明の請求項９に記載の発明は、請求項８に記載のアーカイブ管理システムについて、前記アーカイブ管理システムは、番組構成を編集する番組構成編集装置あるいは映像素材を編集する映像素材編集装置を備えることを特徴とするものである。
【発明の効果】
【００１７】
本発明によれば、撮影装置が撮影時に生成した映像素材メタデータと、放送局または番組制作事業者内の資産管理情報やユーザ管理情報やスタジオ／利用スケジュール管理情報等の各種業務情報とのマッチングによって、登録された映像素材を人手によらず自動的に所定の作業グループに登録することができ、映像素材登録の作業負荷の軽減を実現することができる。
【００１８】
また、本発明によれば、番組制作及び編集作業を行う編集班が作業グループへアクセスするときにもユーザ認証のマッチングを行うことによって、自動的に制作者に適した作業グループへのアクセスを促すことが可能となり、所望の作業グループ及び作業グループ内の映像素材に素早くたどり着くことができ、映像素材編集の作業負荷の軽減も実現することができる。
【発明を実施するための最良の形態】
【００１９】
以下、図面を用いて本発明を実施するための最良の形態を説明する。なお、本発明は、以下の実施例に何ら限定されるものではなく、本発明の要旨を逸脱しない範囲であれば、適宜に変更でき、実施できるものとする。
【実施例１】
【００２０】
本発明の第１実施例を説明する。はじめにアーカイブ管理システム全体について説明する。図１に示すように本実施例のアーカイブ管理システムは、アーカイブ管理装置１１０、撮影装置１２０、業務情報管理装置１３０、番組構成編集装置１４０、及びノンリニア編集装置１５０を備えている。アーカイブ管理装置１１０は、撮影班と編集班とで共有し、撮影装置１２０から得られる映像素材と当該映像素材のメタデータ、業務情報管理装置１３０から得られる各種業務情報等を管理し、一方、番組構成編集装置１４０やノンリニア編集装置１５０からのアクセスを管理するものである。撮影装置１２０は、撮影班が使用し、映像素材の撮影と撮影した映像素材のメタデータを生成するものである。業務情報管理装置１３０は、放送局内のユーザ情報や設備情報等の各種業務情報を管理するものであり、撮影班や編集班の番組制作に関わる人や機器等を管理している。具体的には、後述する資産管理表、スタジオ資産管理表、スタジオ利用スケジュール管理表、及びユーザ管理表等がある。番組構成編集装置１４０は、番組構成を編集する装置である。ノンリニア編集装置１５０は、本実施例で映像素材編集装置として使用する装置である。番組構成編集装置１４０及びノンリニア編集装置１５０は編集班が使用する。
【００２１】
撮影装置１２０の内部構成について説明する。図２に示すように本実施例の撮影装置１２０は、ＵＩ部２０１、時計部２０２、撮影制御部２０３、レンズ部２０４ａ、マイク部２０４ｂ、メタデータ生成部２０５、データ記録部２０６、及び蓄積媒体２０７を備えている。ＵＩ部２０１は、ユーザが操作する図示しない外部のボタン操作によって発生する撮影の開始や停止等の撮影制御信号を受け、これを撮影制御部２０３やメタデータ生成部２０５に送るものである。時計部２０２は、時間を計り、その時刻情報をメタデータ生成部２０５に送るものである。撮影制御部２０３は、ＵＩ部２０１から送られる撮影制御信号、レンズ部２０４ａから送られる映像信号、及びマイク部２０４ｂから送られる音声信号を受け、これらの信号を併せて映像素材を生成し、この映像素材をデータ記録部２０６に送るものである。レンズ部２０４ａは、撮影した映像の映像信号を生成し、映像信号を撮影制御部２０３に送るものである。マイク部２０４ｂは、撮影した映像の音声信号を生成し、音声信号を撮影制御部２０３に送るものである。メタデータ生成部２０５は、ＵＩ部２０１から送られる撮影制御信号、及び時計部２０２から送られる時刻情報から映像素材メタデータを生成し、これをデータ記録部２０６に送るものである。データ記録部２０６は、撮影制御部２０３から送られる映像素材、及びメタデータ生成部２０５から送られる映像素材メタデータを記録し、これを蓄積媒体２０７に送るものである。蓄積媒体２０７は、データ記録部２０６から送られる映像素材及び素材メタデータを蓄積するものである。蓄積媒体２０７は、具体的には、半導体メモリ、テープメディア、光ディスクメディア、ＨＤＤ（Hard Disk Drive）等がある。
【００２２】
ここで映像素材メタデータについて説明する。図３に示すように、映像素材メタデータはXML（eXtensible Markup Language）形式で記述されるデータであり、映像素材名や映像素材を一意に特定する映像素材ＩＤ等の映像素材情報３０１、撮影者や撮影日時等の撮影日時情報３０２、撮影装置１２０を示すデバイス情報３０３、映像素材が属する番組のシナリオ情報３０４、ニュースとして利用する際のニュース情報３０５、自由記述やキーワード記述ができる記述情報３０６、対応する映像素材に関するメディア情報３０７等から構成されている。映像素材メタデータにおける、撮影日時情報３０２は、撮影装置１２０の時計部２０２から送られる時間情報から撮影日時を記述する。また、デバイス情報３０３は、撮影装置１２０の装置名、装置を一意に特定する装置ＩＤ、及び製造者名等を記述する。デバイス情報３０３は、撮影装置１２０内の図示しない不揮発メモリ領域に各値を製造者が予め記録しており、メタデータ生成部２０５は、それら規定の各値を読み出してデバイス情報３０３として設定する。図に示すデバイス情報３０３において、機器名３１１はＣａｍｅｒａＸ、機器ＩＤ３１２は０９２０３、製造者名３１３はｍａｋｅｒＡである
つづいてアーカイブ管理装置１１０の内部構成について説明する。図１に示すように本実施例のアーカイブ管理装置１１０は、映像素材登録受付部１０１、業務情報取得部１０２、グループマッチング部１０３、映像素材登録部１０４、グループアクセス制御部１０５、認証部１０６、及びグルーピング情報格納部１０７を備えている。
【００２３】
映像素材登録受付部１０１は、撮影装置１２０から得られる映像素材と映像素材メタデータの登録を受け付けるものである。映像素材登録受付部１０１への登録は、ＤＶＤやブルーレイディスク等の光ディスク１２１、半導体メモリ１２２、あるいはＨＤＤＴ（High Density Digital Tape）１２３等を介した手段や、ＵＳＢ(Universal Serial Bus)やIEEE1394やイーサネット（登録商標）等の通信媒体１２４を介した手段がある。映像素材及び映像素材メタデータを受けた映像素材登録受付部１０１は、グループマッチング部１０３へ映像素材及び映像素材メタデータと共にマッチング要求を入力する。業務情報取得部１０２は、業務情報管理装置１３０から得られる各種業務情報を取得するものである。上述したように各種業務情報には資産管理表、スタジオ資産管理表、スタジオ利用スケジュール管理表、及びユーザ管理表等がある。
【００２４】
ここで資産管理表、スタジオ資産管理表、及びスタジオ利用スケジュール管理表について説明する。はじめに資産管理表について説明する。図４に示すように、資産管理表は組織名と組織に属する機器を対応付けて管理し、機器情報から作業グループを特定することができる。例えば、機器名：機器ID＝CameraX：09203は、組織名１：組織名２：組織名３＝報道局：社会報道チーム：軽犯罪事件班に属していることを特定できる。
【００２５】
つづいてスタジオ資産管理表について説明する。図５に示すように、スタジオ資産管理表はスタジオ名とそのスタジオに属する機器を対応付けて管理し、機器情報からスタジオを特定することができる。例えば、機器名＝Camera1はスタジオＡに属していることを特定できる。
【００２６】
つづいてスタジオ利用スケジュール管理表について説明する。図６に示すように、スタジオ利用スケジュール管理表はスタジオ名とそのスタジオを組織が利用するスケジュールを対応付けて管理している。スタジオ利用スケジュール管理表は、スタジオ予約機能によって管理・運用されている。映像素材メタデータに含まれる撮影日時情報から撮影日時を特定し、また、スタジオ資産管理表を用いて特定したスタジオから組織を特定することができる。
【００２７】
グループマッチング部１０３は、映像素材メタデータと各種業務情報とを用いて、組織を特定するグループマッチングを行い、映像素材の作業グループを決定するものである。グループマッチング部１０３に入力される各種業務情報には、資産管理表、スタジオ資産管理表、及びスタジオ利用スケジュール管理表がある。
【００２８】
映像素材登録部１０４は、グループマッチング部１０３で特定した作業グループに従い、登録先のパスを生成してグルーピング情報格納部１０７内の対応する作業グループへ映像素材及び映像素材メタデータを登録するものである。
【００２９】
グループアクセス制御部１０５は、番組構成編集装置１４０やノンリニア編集装置１５０から映像素材や映像素材メタデータのアクセス要求を受け、認証部１０６からのユーザ認証結果に従い、グルーピング情報格納部１０７内の該当するグループへ映像素材や映像素材メタデータの検索を行うものである。
【００３０】
認証部１０６は、グループアクセス制御部１０５から認証要求を受け、業務情報取得部１０２から送られる業務情報を用いてユーザ認証を行うものである。
【００３１】
グルーピング情報格納部１０７は、撮影班と編集班とで共有し、撮影装置１２０から得られる映像素材と素材メタデータを、アーカイブ管理装置１１０を介して保管するものであり、グループ毎に区分けされている。グルーピング情報格納部１０７はRAID（Redundant Arrays of Independent Disks）やカードマシン等が用いられる。グルーピング情報格納部１０７内で管理されている作業グループについて説明する。本実施例で説明する作業グループは、図７に示すように、放送局内での組織をジャンル別に区分けしたものであり、そこから階層的に組織を管理している。例えば、図７に示す軽犯罪７０１は、社会報道グループの組織に属しており、また、社会報道グループは報道グループに属していることを示している。つまり、軽犯罪７０１について撮影された映像素材及び映像素材メタデータは、グルーピング情報格納部１０７内の報道グループ内に保管され、階層的に軽犯罪７０１を管理している。
【００３２】
次に上記したグループマッチング部１０３について、その内部構成を説明する。図８に示すように、グループマッチング部１０３は、映像素材登録受付部１０１から映像素材メタデータを入力する映像素材メタデータ入力部８０１、映像素材メタデータの中からデバイス情報を取得するデバイス情報取得部８０２、映像素材メタデータの中から撮影日時情報を取得する撮影日時情報取得部８０３、業務情報取得部１０２から取得する資産管理表、スタジオ資産管理表、及びスタジオ利用スケジュールを入力する業務情報入力部８０４、業務情報入力部８０４から資産管理表を取得する資産管理表取得部８０５、資産管理表からデバイス情報に一致する項目を検索するデバイス検索部８０６、スタジオ資産管理表及びスタジオ利用スケジュール管理表を取得するスタジオ資産／利用スケジュール取得部８０７、スタジオ利用スケジュール管理表から撮影日時情報に一致する項目を検索するスケジュール検索部８０８、デバイス検索部８０６で検索して一致した項目、あるいはデバイス検索部８０６とスケジュール検索部８０８の両方で一致した項目から組織名を取得する組織取得部８０９、取得した組織からその組織が属する作業グループを特定する作業グループ特定部８１０を備えている。
【００３３】
以上のように構成されたアーカイブ管理システムを用いて、撮影装置１２０で撮影された映像素材をアーカイブ管理装置１１０に登録する動作について説明する。はじめに資産管理表を用いて映像素材を登録する動作について説明する。これはつまり、映像素材の撮影に使われた撮影装置１２０は資産として特定の組織に所属が決まっており、その組織に属する撮影装置１２０によって撮影した映像素材もまた該当組織に所属するので、これを利用したものである。資産管理表取得部８０５は、業務情報取得部１０２から業務情報入力部８０４を介して資産管理表を取得する（マッチング処理開始→Ｓ９０１）。また、その一方でデバイス情報取得部８０２は、映像素材登録受付部１０１から映像素材メタデータ入力部８０１を介して映像素材メタデータの中のデバイス情報を取得する（Ｓ９０２）。例えば、図３に示す映像素材メタデータのデバイス情報３０３は、機器名３１１はＣａｍｅｒａＸ、機器ＩＤ３１２は０９２０３、製造者名はｍａｋｅｒＡである。資産管理表及びデバイス情報はデバイス検索部８０６に入力され、デバイス検索部８０６は、取得したデバイス情報から機器名または機器ＩＤを取得し、資産管理表に一致する項目があるか否かについて検索する（Ｓ９０３）。資産管理表に機器名または機器ＩＤと一致する項目があった場合、一致した項目の組織名を取得する（Ｓ９０４→Ｓ９０５）。例えば、機器名：機器ＩＤ＝ＣａｍｅｒａＸ：０９２０３である場合、取得する組織名は軽犯罪事件班である。取得した組織名からその組織が属する作業グループを特定する。例えば、軽犯罪事件班は、報道局：社会報道チーム：軽犯罪事件班の作業グループに属しているので、作業グループは報道局であり、軽犯罪事件班は階層的に管理される。取得した組織と特定された作業グループは映像素材登録部１０４に送られる。映像素材登録部１０４では特定された作業グループに対応するグルーピング情報格納部１０７内の作業グループへのパスを生成して登録する（Ｓ９０６→終了）。
【００３４】
以上のグループマッチングは、撮影装置１２０が特定の番組制作組織に所属している関係から撮影装置１２０が撮影した映像素材の所属組織を認識することができる。しかしながら、撮影装置１２０は、必ずしも特定の番組制作組織に所属しているとは限らない。例えば図１７に示した放送局の環境図によると、放送局にはスタジオや編集室等、スポーツ局、バラエティ局、ドラマ局等各局が共有して撮影装置１２０を利用する施設が存在する。あるスタジオに所属する撮影装置１２０によって撮影した映像素材は、撮影時にスタジオ施設を利用していた組織に所属することになる。スタジオに所属する撮影装置１２０で撮影された映像素材について、撮影時にスタジオを利用していた組織を取得して、その組織に属する作業グループを特定することができる。次に撮影装置１２０がスタジオに所属している関係から撮影装置１２０が撮影した映像素材の所属組織を認識するグループマッチングを説明する。
【００３５】
デバイス検索部８０６において、資産管理表に機器名または機器ＩＤと一致する項目がなかった場合（Ｓ９０４→Ｓ９０７）、例えば、図１１に示す映像素材メタデータの中のデバイス情報は、機器名１１０１がＣａｍｅｒａ４で、機器ＩＤが０９０００と記されているが、このデバイス情報と一致する項目はない。この場合、スタジオ資産・利用スケジュール取得部８０７は、業務情報取得部１０２から業務情報入力部８０４を介してスタジオ資産管理表及びスタジオ利用スケジュール管理表を取得する（特殊マッチング処理開始→Ｓ１００１）。スタジオ資産・利用スケジュール取得部８０７で取得したスタジオ資産管理表はデバイス検索部８０６に送られる。また、デバイス検索部８０６には映像素材メタデータから機器名または機器ＩＤ等のデバイス情報を取得しており（Ｓ９０２）、デバイス検索部８０６では、スタジオ資産管理表に機器名または機器ＩＤと一致する項目があるか否かについて検索する（Ｓ１００３）。スタジオ資産管理表に機器名または機器ＩＤと一致する項目があった場合、一致した項目のスタジオ名を取得する。例えば、機器名＝Ｃａｍｅｒａ４である場合、取得するスタジオ名はスタジオＡである（Ｓ１００４→Ｓ１００５）。また、その一方で撮影日時情報取得部８０３は、映像素材登録受付部１０１から映像素材メタデータ入力部８０１を介して映像素材メタデータの中の撮影日時情報を取得する（Ｓ１００５）。例えば、図１１に示す映像素材メタデータにおいて撮影日時情報１１０４は、２００３年１１月１２日の８時２０分２秒に撮影されたことが記されている。撮影日時情報は、先に取得したスタジオ名と共にスケジュール検索部８０８に入力され、スケジュール検索部８０８はスタジオ利用スケジュール管理表に一致する項目があるか否かについて検索する（Ｓ１００６）。スタジオ利用スケジュール管理表に撮影日時情報及びスタジオ名と一致する項目があった場合、一致した項目の組織名を取得する（Ｓ１００７→Ｓ１００９）。例えば、図７において、２００３年１１月１２日の８時２０分２秒にスタジオＡを利用している組織は、組織＝ドラマ局・月曜チーム・第一班であるので、この組織を取得する。取得した組織名からその組織が属する作業グループを特定する。上記の例では、作業グループはドラマ局であり、月曜チーム及び第一班は階層的に管理される。取得した組織と特定された作業グループは映像素材登録部１０４に送られる。映像素材登録部１０４では特定された作業グループに対応するグルーピング情報格納部１０７内の作業グループへのパスを生成して登録する（Ｓ１０１０→終了）。
【００３６】
以上のグループマッチングにより、撮影装置１２０が撮影した映像素材の所属組織及び作業グループを認識することができ、グルーピング情報格納部１０７内の各作業グループへの登録が終了する。なお、スタジオ資産管理表に機器名または機器ＩＤと一致する項目がなかった場合や（Ｓ１００４→Ｓ１００８）、スタジオ利用スケジュール管理表に撮影日時情報及びスタジオ情報と一致する項目がなかった場合には（Ｓ１００７→Ｓ１００８）、エラー処理を行う。エラー処理は、例えば、登録作業者に対して、登録する作業グループが不明であることを通知して注意躍起し、グルーピング情報格納部１０７への登録は手作業で行うように促す。
【００３７】
また、本実施例では、グループマッチングされた映像素材及び映像素材メタデータについて、取得した組織と特定された作業グループは登録先のパスを生成してからグルーピング情報格納部１０７内の対応する作業グループのグループに登録する態様としているが、映像素材メタデータ自体に取得した組織と特定した作業グループの情報を記述する作業グループ情報記述部１５０８（図１５参照）を備えても良い。つまり、これにより、映像素材メタデータ自体に、取得した組織と作業グループの情報が記述され、登録先のパスを生成しなくてもグルーピング情報格納部１０７内の対応する作業グループに自動的に登録することができる。映像素材メタデータに対して当該映像素材が所属する組織とグループ情報を記述した例を図１６に記す。本実施例では、“組織＝ドラマ局・月曜チーム・第一班”を取得して組織と作業グループを特定したため、映像素材メタデータにはこの所属グループ（１６０１）が記述される。これにより、映像素材メタデータから映像素材の所属する組織と作業グループを認識することができ、グルーピング情報格納部１０７内の対応する作業グループへ自動的に登録し、組織を管理することができる。
【００３８】
以上のようにして撮影装置１２０で撮影された映像素材はグルーピング情報格納部１０７内で作業グループ毎に登録される。次に、グルーピング情報格納部１０７内で作業グループ毎に登録された映像素材を、番組構成編集装置１４０あるいはノンリニア編集装置１５０等を用いて編集班がアクセスする動作について説明する。番組制作者によって使用する作業グループはそれぞれ異なっているので、それぞれの番組制作者にマッチした作業グループへのアクセスを提供する必要がある。
【００３９】
番組制作者にマッチした作業グループへのアクセスを提供するには、ユーザ管理表を用いる必要がある。はじめに、ユーザ管理表について説明する。図１３に示すように、ユーザ管理表は組織名と組織に属するユーザの氏名、ログインＩＤ、及びパスワードを対応付けて管理しており、氏名、ログインＩＤ、またはパスワードから組織を取得し、組織が所属する作業グループを特定することができる。認証部１０６は業務情報取得部１０２からユーザ管理表を取得し、このユーザ管理表と番組構成編集装置１４０あるいはノンリニア編集装置１５０等からアクセスする際に入力されるユーザ情報を用いて、番組制作者にマッチした作業グループへのアクセスを提供する。
【００４０】
以下、図１２を用いて、ユーザ管理表を用いたグループアクセスの動作を説明する。番組構成編集装置１４０あるいはノンリニア編集装置１５０等からアーカイブ管理装置１１０に対してアクセスを行うと（Ｓ１２０１）、グループアクセス制御部１０５は認証部１０６に対してユーザの認証を行うよう要求する（Ｓ１２０２）。認証要求を受けた認証部１０６は、要求元の番組構成編集装置１４０あるいはノンリニア編集装置１５０等に対してＩＤまたはパスワードの入力を要求する（Ｓ１２０３）。一方、この時、認証部１０６は業務情報取得部１０２からユーザ管理表を取得する。ユーザはＩＤまたはパスワードを入力して認証部１０６に応答する（Ｓ１２０４）。認証部１０６ではユーザ管理表に入力されたＩＤまたはパスワードと一致する項目があるか否かについて検索する（Ｓ１２０５）。例えば、ＩＤ：パスワード＝Ｉｃｈｉｒｏ：＃＃＃＃＃＃＃＃＃と入力された場合、ユーザの氏名は松下一郎で、松下一郎は軽犯罪事件班に所属していることがわかる。さらに、軽犯罪事件班が属する作業グループは報道局であることが特定できる。認証処理を行った認証部１０６は、要求元の番組構成編集装置１４０あるいはノンリニア編集装置１５０等に対して認証結果を応答する（Ｓ１２０６）。認証結果応答の例を図１４の１４ａに示す。図に示すように認証結果応答は、認証結果を示すデータ１４０１と認証情報を示すデータ１４０２に分かれる。認証情報には、認証したユーザのログインＩＤと該当ユーザが所属する組織と特定した作業グループへのパスが記述される。作業グループへのパスの導出は認証部１０６にて行う。導出処理は、ユーザ管理表から該当ユーザの所属する組織を導き出し、組織が所属する作業グループのパスを生成する。認証に成功した番組構成編集装置１４０あるいはノンリニア編集装置１５０は、認証結果応答から認証情報１４０２を取り出して、認証情報１４０２を元にグループアクセス制御部１０５に対してグループアクセス要求を行う（Ｓ１２０７）。
【００４１】
グループアクセス要求の例を図１４の１４ｂに示す。図に示すように、グループアクセス要求は、要求内容を示すデータ１４０３と認証情報を示すデータ１４０４に分かれる。認証情報１４０４には認証結果応答１４ａの認証情報１４０２と同じ内容が記述される。認証情報１４０４が記述されたグループアクセス要求を受信したグループアクセス制御部１０５は、グルーピング情報格納部１０７へ認証情報１４０４に記述された作業グループへのアクセス要求を出力し、階層的に管理している組織へアクセスする（Ｓ１２０８）。ここでは、グルーピング情報格納部１０７内の報道局グループへアクセス要求を出力し、階層的に管理している軽犯罪事件班にアクセスする。グルーピング情報格納部１０７はアクセス要求のあった、階層的に管理されている組織の情報をグループアクセス制御部１０５に対して応答し（Ｓ１２０９）、グループアクセス制御部１０５は、要求元の番組構成編集装置１４０あるいはノンリニア編集装置１５０に対して応答する（Ｓ１２１０）。
【００４２】
以降、番組構成編集装置１４０またはノンリニア編集装置１５０から、各種メタデータまたは映像素材の参照、登録等の各種要求に対して、認証情報に記載の作業グループに対しては要求を受け付ける。なお、認証情報のセキュリティ向上のため、例えば番組構成編集装置１４０、ノンリニア編集装置１５０、あるいはアーカイブ管理装置１１０にそれぞれ証明書を持たせ、要求及び応答の認証情報に対してＰＫＩ証明（Ｐｕｂｌｉｃ  Ｋｅｙ  Ｉｎｆｒａｓｔｒｕｃｔｕｒｅ）を行うようにしても良い。
【００４３】
以上、本実施例によれば、撮影装置１２０が撮影時に生成した映像素材メタデータを、資産管理情報やユーザ管理情報やスタジオ／利用スケジュール管理情報等の各種業務情報を用いてマッチングによって組織を取得し、また、取得した組織から作業グループを特定して所定の作業グループに登録することができるので、映像素材登録の作業負荷の軽減を実現することができる。また、番組制作及び編集作業を行う編集班が作業グループへアクセスするときにも番組制作者にマッチした作業グループへのアクセスができるので、所望の作業グループ及び作業グループ内の映像素材に素早くたどり着くことができる。結果として、映像素材編集の作業負荷の軽減を実現することができる。
【産業上の利用可能性】
【００４４】
本発明に係る撮影装置及びアーカイブ管理装置は、番組制作システムにおいて番組映像素材を管理するアーカイブシステムに適用できる。
【図面の簡単な説明】
【００４５】
【図１】アーカイブ管理装置とその周辺装置を示す全体構成図
【図２】撮影装置の内部構成を示す図
【図３】素材メタデータを示す図
【図４】資産管理表を示す図
【図５】スタジオ資産管理表を示す図
【図６】スタジオ利用スケジュール管理表を示す図
【図７】作業グループの構成を示す図
【図８】グループマッチング部の内部構成を示す図
【図９】通常のグループマッチングの処理を示すフロー図
【図１０】特殊のグループマッチングの処理フローを示す図
【図１１】素材メタデータを示す図
【図１２】グループアクセスの処理フローを示す図
【図１３】ユーザ管理表を示す図
【図１４】認証結果及びグループアクセス要求の電文内容を示す図
【図１５】作業グループ情報記述部を備えたアーカイブ管理装置を示す図
【図１６】作業グループ情報を記述した素材メタデータを示す図
【図１７】従来のアーカイブ管理装置を使用した管理システムを示す全体構成図
【符号の説明】
【００４６】
１０１  映像素材登録受付部
１０２  業務情報取得部
１０３  グループマッチング部
１０４  映像素材登録部
１０５  グループアクセス制御部
１０６  認証部
１０７  グルーピング情報格納部
１１０  アーカイブ管理装置
１２０  撮影装置
１３０  業務情報管理装置
１４０  番組構成編集装置
１５０  ノンリニア編集装置
２０１  ＵＩ部
２０２  時計部
２０３  撮影制御部
２０４ａ  レンズ部
２０４ｂ  マイク部
２０５  メタデータ生成部
２０６  データ記録部
２０７  蓄積媒体
８０１  映像素材メタデータ入力部
８０２  デバイス情報取得部
８０３  撮影日時情報取得部
８０４  業務情報入力部
８０５  資産管理表取得部
８０６  デバイス検索部
８０７  スタジオ資産管理表・利用スケジュール管理表取得部
８０８  スケジュール検索部
８０９  組織取得部
８１０  作業グループ特定部
１５０８  作業グループ情報記述部
【図１】
2005354547.tif 000003
【図２】
2005354547.tif 000004
【図３】
2005354547.tif 000005
【図４】
2005354547.tif 000006
【図５】
2005354547.tif 000007
【図６】
2005354547.tif 000008
【図７】
2005354547.tif 000009
【図８】
2005354547.tif 000010
【図９】
2005354547.tif 000011
【図１０】
2005354547.tif 000012
【図１１】
2005354547.tif 000013
【図１２】
2005354547.tif 000014
【図１３】
2005354547.tif 000015
【図１４】
2005354547.tif 000016
【図１５】
2005354547.tif 000017
【図１６】
2005354547.tif 000018
【図１７】
2005354547.tif 000019